(57)【要約】      （修正有）【課題】迅速に組立て及び取り外しが可能で、取り付け安定性の良い自転車用籠の連接部材を提供する。【解決手段】両端に設けられた結合部及び係合部とが、複数の位置制限ブロックとからなる自転車用籠の連結部材であって、上記結合部と係合部とにおいて、同一方向に、係止フックが伸び、上記係合部の中央に収納溝が形成され、係合部と収納溝とに貫通する軸孔が形成され、上記結合部と係合部の両側に、摺動溝が形成され、上記係合部材が、係合部の収納溝に設置され、軸棒を軸孔と係合部材に貫設することにより、枢着され、結合部端に向かって、フック部が形成され、他端に、押さえ部が形成され、押さえ部と収納溝との間に、バネが挟まれ、上記複数の制限ブロックが、それぞれ、結合部と係合部の両側に実装され、ボルト及びナットにより、摺動自在に摺動溝に設置され、それぞれ、行き止め面が形成される。【選択図】図３
0003184522.tif 000002
【実用新案登録請求の範囲】
【請求項１】
一面の両端に、それぞれ設けられた結合部及び係合部と、結合部材と、複数の位置制限ブロックとからなる自転車用籠の連接部材であって、
上記結合部と係合部とにおいて、同一方向に、少なくとも一つの係止フックが伸び、上記係合部において、中央に収納溝が形成され、係合部と収納溝とに貫通する軸孔が形成され、上記結合部と係合部の両側に、ともに摺動溝が形成され、
上記係合部材が、上記係合部の収納溝に設置され、軸棒を軸孔と係合部材に貫設することにより、枢着され、結合部端に向かって、フック部が形成され、もう一端に、押さえ部が形成され、上記押さえ部と収納溝との間に、バネが挟まれ、
上記複数の制限ブロックが、それぞれ上記結合部と係合部の両側に実装され、ボルトにより、ナットに合わせて、摺動自在に摺動溝に設置され、それぞれ、行き止め面が形成されることを特徴とする自転車用籠の連接部材。
【請求項２】
上記摺動溝に、ともに同一方向に、レールが設けられ、上記位置制限ブロックにおいて、上記レールに対応して、突出部が形成され、突出部が、レールに定位することにより、奥部及び外部に対して、定位効果が得られる行き止め面が形成されることを特徴とする請求項１に記載の自転車用籠の連接部材。
【請求項３】
上記位置制限ブロックにおいて、連接部材の離れた端部に、ともに頂面が形成され、複数の頂面により、上記連接部材が平坦に設置されることを特徴とする請求項１に記載の自転車用籠の連接部材。
【請求項４】
上記位置制限ブロックにおいて、行き止め面に、中空凹槽が形成され、上記中空凹槽に、弾性ブロックが実装され、弾性ブロックにより、連接部材とリア荷台とが、緊密に結合されることを特徴とする請求項１に記載の自転車用籠の連接部材。
【請求項５】
上記位置制限ブロックにおいて、頂面に、軟質パッドが実装され、軟質パッドを設置することにより、負荷時に発生する裂傷を防止できることを特徴とする請求項１に記載の自転車用籠の連接部材。
【考案の詳細な説明】
【技術分野】
【０００１】
本考案は、自転車の部品に関するものであり、更に詳しくは、迅速に組立て及び取り外しが可能な自転車用籠の連接部材に関するものである。
【背景技術】
【０００２】
自転車は、人力を利用するため、軽量化が主な要請の一つである。そのため、自転車に荷物を載置負荷するための設計が欠如され、通常、自転車の後輪の上方に、棒鉄からなるリア荷台が実装され、上記リア荷台上に、荷物を載置するように設計されている。また、自転車で、小型荷物を運送する場合、リア荷台で上記荷物を挟持する程度であるから、運送の途中に、地面が平らではない場合、荷物が容易に脱落する。リア荷台に袋を取り付ければ、負荷の機能を向上させることができる。一般的には、紐で、袋をリア荷台に結んで固定し、これにより、荷物が、袋から脱落することを防止できるが、なお、安定的に結合することができず、また、簡単に結合することや取り外すことができない欠点があった。
【０００３】
そのため、関係業者により、簡単に装卸可能な荷台道具が開発された。図１１のように、その特徴は、荷台板６１が設けられた取り外し容易な道具６０が設けられて、上記荷台板の頂面に、背嚢や籠或いは箱等の負荷部材８０の底面が、螺着やかしめによって固定され、荷台板６１の底面が、緊密に自転車荷台７０の頂面に当接する。また、荷台板６１の一側に、下方へ突出する一つ以上の固定フック６２（６２ａ）が設置され、また、もう一側に、可動フック６３が実装され、それぞれが、自転車荷台７０の両側に係合されて、その底面に固定されることにより、荷物を収納するための負荷部材８０を簡単に固定することができる。
【０００４】
しかしながら、上記の如き従来の構造によれば、
１．上記取り外し容易な道具６０は、複数の固定フック６２を使用して、可動フック６３に合わせて、荷台７０の両側に係合して固定したものであり、取り外し容易な道具６０を実装する時、力を加えて固定フック６２（６２ａ）を押さえて上記荷台７０に係合させる必要がある。また、取り外し容易な道具６０を卸す時、可動フック６３だけを動かしても荷台板６１と荷台７０とが分離することができず、やはり、力を加えて固定フック６２（６２ａ）を分離させなければならないため、迅速に組立てや取り外すことができない。上方に荷物が負荷される場合であれば、更に、装卸の困難度が高くなる。
【０００５】
２．上記取り外し容易な道具６０は、固定フック６２（６２ａ）と可動フック６３により、荷台７０の両側に固定されるだけで、また、フックと荷台７０との摩擦抵抗により、荷台板６１の前後変位が制限され、取り外し容易な道具６０が摩耗した場合や路面が凹凸不平である場合、上記取り外し容易な道具６０は、振動又は変位により、最悪の場合、脱離し、安定的に結合できない、などの欠点がある。
【０００６】
実開平６−８１８０号公報（以下、「特許文献１」という。）には、自転車用籠の取り付け部材として、片側を略Ｕ字状に折り返してフックを形成した左右一対のフレーム部材と該フレーム部材に対して交差方向に一体に取り付けられたパネルとから構成が記載されている。しかし、特許文献１には、上記問題点は十分解決できる点について開示がない。
【特許文献１】実開平６−８１８０号公報
【考案の概要】
【考案が解決しようとする課題】
【０００７】
従って、本考案の主な課題は、自転車用籠の取り付け安定性がよく、凹凸面の多い路面の走行時においても脱離することなく、安定性に優れ、かつ、迅速な取り外し容易な自転車用籠の取り付け手段を提供することにある。また、本考案の他の課題は、自転車の荷台と自転車用籠の連結安定性に優れた接続手段を提供することにある。
【０００８】
本考案の更に他の課題は、荷台と自転車用籠との連結に際し適用性の高い接続手段を提供することにある。
【課題を解決するための手段】
【０００９】
そこで、本考案者は、前記課題について鋭意検討を重ねた結果、前記の主な課題に対しては、連結部材を提供し、上記連接部材は、結合部と係合部が設置された端面で、リア荷台の表面にセットしてから、連接部材を、係止フックの方向へ向かって偏移させ、結合部と係合部の係止フックが、ともに、横棒の下端に変位し、また、上記係合部に、係合部材が枢着され、係合部材のフック部で、横棒に対して係止し、連接部材が、迅速にリア荷台の上端に固定され、また、連接部材を取り外す時、片手で、上記係合部材の押さえ部を押さえれば、バネが圧縮されてフック部が、リア荷台の横棒から脱離し、これにより、直接に、上記連接部材を外すことができ、そのため、連接部材を迅速に組立てる機能や取り外す機能が実現され、省力操作の利点が得られる点に着目した。
【００１０】
本考案の上記の他の課題に対しては、自転車用籠の連接部材を提供し、上記連接部材の四隅にある摺動溝に、ともに、位置制限ブロックが実装され、上記位置制限ブロックが、ボルトとナットとを、弛めることにより、摺動溝に沿って、変位でき、上記位置制限ブロックが、リア荷台の縦棒位置に合わせて隙間を調整でき、これにより、位置制限ブロックの行き止め面が、二つの縦棒の相対する外側に当接し、連接部材が左右に動揺することを防止することができ、連接部材とリア荷台の連結安定性が向上することに着目した。
本考案の更に他の課題に対しては、自転車用籠の連接部材を提供し、上記位置制限ブロックは、突出部が、連接部材のレールに位置することにより、行き止め面が、対向するように制限され、また、上記位置制限ブロックは、連接部材において、１８０度回転でき、位置制限ブロックの行き止め面を外側へ向かわせて、行き止め面で、二つの縦棒の対向する内側に当接でき、これにより、連接部材の適用性が向上することに着目した。かかる知見に基いて、本考案に想到するに至った。
【００１１】
かくして、請求項１の考案によれば、一面の両端にそれぞれ設けられた結合部及び係合部と、結合部材と、複数の位置制限ブロックとからなる自転車用籠の直接部材であって、
上記結合部と係合部とにおいて、同一方向に、少なくとも一つの係止フックが伸び、上記係合部において、中央に、収納溝が形成され、係合部と収納溝とに貫通する軸孔が形成され、上記結合部と係合部の両側に、ともに、摺動溝が形成され、
上記係合部材が、上記係合部の収納溝に設置され、軸棒を軸孔と係合部材に貫設することにより、枢着され、結合部端に向かって、フック部が形成され、もう一端に、押さえ部が形成され、上記押さえ部と収納溝との間に、バネが挟まれ、
上記複数の制限ブロックが、それぞれ、上記結合部と係合部の両側に実装され、ボルトにより、ナットに合わせて、摺動的に摺動溝に設置され、それぞれ、行き止め面が形成されることを特徴とする自転車用籠の連接部材が提供される。
【００１２】
請求項２の考案によれば、上記摺動溝に、ともに、同一方向に、レールが設けられ、上記位置制限ブロックにおいて、上記レールに対応して、突出部が形成され、突出部が、レールに定位することにより、奥部及び外部に対して、定位効果が得られる行き止め面が形成されることを特徴とする請求項１に記載の自転車用籠の連接部材が提供される。
【００１３】
請求項３の考案によれば、上記位置制限ブロックにおいて、連接部材の離れた端部に、ともに、頂面が形成され、複数の頂面により、上記連接部材が平らに設置されることを特徴とする請求項１に記載の自転車用籠の連接部材が提供される。
【００１４】
請求項４の考案によれば、上記位置制限ブロックにおいて、行き止め面に、中空凹槽が形成され、上記中空凹槽に、弾性ブロックが実装され、弾性ブロックにより、連接部材とリア荷台とが、緊密に結合されることを特徴とする請求項１に記載の自転車用籠の連接部材が提供される。
【００１５】
請求項５の考案によれば、上記位置制限ブロックにおいて、頂面に、軟質パッドが実装され、軟質パッドを設置することにより、負荷時に傷付くことを防止できることを特徴とする請求項１に記載の自転車用籠の連接部材が提供される。
【考案の効果】
【００１６】
本考案は、上記の通りの構成からなり、自転車用籠の着脱容易であり、かつ、連結安定性に優れた自転車用籠の接続部材を提供することができる。
【考案を実施するための最良の形態】
【００１７】
以下、図面を参照しながら、本考案の特徴や技術内容について、詳しく説明するが、それらの図面等は、参考や説明のためであり、本考案は、それによって限定されるものではない。
【００１８】
図１乃至図３に示すように、本考案に係る自転車用籠の連接部材１０は、係合部材２０と、複数の位置制限ブロック３０と、一面の両端において、相対的に結合部１１と係合部１２が設けられる。上記結合部１１と係合部１２とにおいて、同一方向に、少なくとも一つの係止フック１１１（１２１）が伸び、上記係合部１２において、中央に、収納溝１２２が形成され、係合部１２と収納溝１２２とに貫通する軸孔１２３が形成される。上記結合部１１と係合部１２の両側に、ともに、摺動溝１３が形成される。また、摺動溝１３において、同一方向にレール１３１が設置される。係合部１２の収納溝１２２に設置され、軸棒２１を軸孔１２３と係合部材２０に貫設することにより、枢着され、結合部１１端に向かって、フック部２２が形成され、もう一端に、押さえ部２３が形成され、上記押さえ部２３と収納溝１２２との間に、バネ２４が挟まれる係合部材２０と、が含有される。複数の位置制限ブロック３０が、それぞれ、連接部材１０の結合部１１と係合部１２の両側に実装され、上記位置制限ブロック３０が、ボルト３１で、ナット３２に合わせて、摺動可能に摺動溝１３に設置される。また、上記位置制限ブロック３０に、ともに、行き止め面３３が形成され、行き止め面３３に、中空凹槽３６が形成され、上記中空凹槽３６に、弾性ブロック３７が実装され、弾性ブロック３７により、連接部材１０とリア荷台４０とが、緊密に結合され、また、上記位置制限ブロック３０において、連接部材１０のレール１３１に対応して突出部３４が形成され、突出部３４をレール１３１に位置付けることにより、行き止め面３３が、内や外に対向して定位効果が実現される。
【００１９】
本考案によれば、図３乃至図６のように、上記自転車の後輪の上方に、リア荷台４０が実装され、上記リア荷台４０の表面に、荷物が負荷される。また、上記リア荷台４０が、両側に、棒鉄からなる縦棒４１を有し、また、縦棒４１同士の間に跨る横棒４２が形成される。本考案は、連接部材１０の結合部１１と係合部１２とが設けられた端面で、リア荷台４０の表面に設置され、連接部材１０を、係止フック１１１（１２１）の方向へ押して、結合部１１と係合部１２の係止フック１１１（１２１）が、ともに、横棒４２の下端に位置させ、また、上記係合部１２に、係合部材２０が枢着され、係合部材２０のフック部２２で、横棒４２に係合し、連接部材１０が、迅速に、リア荷台４０の上端に固定される。
【００２０】
連接部材１０を取り外す時、片手で、上記係合部材２０の押さえ部２３を押さえると、バネ２４が圧迫されて、フック部２２が、リア荷台４０の横棒４２から、脱離でき、このとき、直接に、上記連接部材１０を取り外すことができる。これにより、連接部材１０の迅速な組み立てや取り外しが実現する。そして、省力操作の利点が得られ、上記連接部材１０の上端面に、袋５０（或いは籠）が組み立てられても良く、連接部材１０を利用して、リア荷台４０に袋５０を実装することができる。
【００２１】
これにより、より良い荷物負荷の効果が得られ、また、上記連接部材１０において、四隅にある摺動溝１３に、位置制限ブロック３０が実装され、上記位置制限ブロック３０は、ボルト３１とナット３２とを弛めることにより、摺動溝１３に沿って変位することができ、上記位置制限ブロック３０が、リア荷台４０の縦棒４１の位置に合わせて隙間調整できる。これにより、位置制限ブロック３０の行き止め面３３が、相対的に、二つの縦棒４１の外側に当接し、連接部材１０が左右に動揺することを防止することができる。そのため、連接部材１０とリア荷台４０の連結安定性が向上する。
【００２２】
また、図７と図８のように、上記位置制限ブロック３０は、突出部３４が、連接部材１０のレール１３１に位置することにより、行き止め面３３が、対向的に設置されるように限制され、また、上記位置制限ブロック３０は、連接部材１０において、１８０度回転でき、位置制限ブロック３０の行き止め面３３が、外側へ向かうように制限され、行き止め面３３で、二つの縦棒４１の対向する内側に当接する。これにより、連接部材１０の適用性が向上し、更に、上記行き止め面３３に、弾性ブロック３７が実装され、弾性ブロック３７で、リア荷台４０の縦棒４１に附勢できるだけでなく、それらの間を、緊密的に当接させる。また、異なるタイプの弾性ブロック３７を利用しても良く、例えば、円形や四角形の縦棒４１を利用すると、安定的に結合する効果が得られる。
【００２３】
また、図９のように、上記連接部材１０は、四隅に、ともに、位置制限ブロック３０が実装され、上記位置制限ブロック３０の連接部材１０から離れた端に、ともに、頂面３５が形成され、連接部材１０をリア荷台４０から取り外す時、位置制限ブロック３０で、袋５０を支持でき、複数の頂面３５により、上記連接部材１０が平らになる容易使用状態になる。また、図１０のように、上記位置制限ブロック３０は、頂面３５に、ともに、軟質パッド３８が実装され、軟質パッド３８により、傷つくことを防止することができる。
以上は、ただ、本考案のより良い実施形態であり、本考案は、それらよって限定されるものではなく、本考案に係わる実用新案登録請求の範囲や明細書の内容に基づいて行った等価の変更や修正は、全てが、本考案の範囲内に含まれる。
【図面の簡単な説明】
【００２４】
【図１】本考案の一実施形態による自転車用籠の連接部材の斜視図である。
【図２】本考案の一実施形態による自転車用籠の連接部材の他の角度から見た斜視図である。
【図３】本考案の一実施形態による自転車用籠の連接部材の分解斜視図である。
【図４】本考案の一実施形態による自転車用籠の連接部材をリア荷台に組み立てた状態断面図である。
【図５】本考案一実施形態による自転車用籠をリア荷台から取り外す状態を示す説明図である。
【図６】本考案の一実施形態による自転車用籠の連接部材の位置制限ブロックがリア荷台の縦棒の外側に当接する状態を示す説明図である。
【図７】本考案の一実施形態による自転車用籠の連接部材の位置制限ブロックの位置を示す断面図である。
【図８】本考案の一実施形態による自転車用籠の連接部材の位置制限ブロックがリア荷台の縦棒の内側に当接する状態を示す説明図である。
【図９】本考案の一実施形態による自転車用籠の連接部材を任意の平面に放置した状態を示す説明図である。
【図１０】本考案の位置制限ブロックに軟質パッドが実装された状態の概念図
【図１１】従来の取り外し容易な機具の使用概念図である。
【符号の説明】
【００２５】
本考案
１０  連接部材
１１  結合部
１１１（１２１）  係止フック
１２  係合部
１２２  収納溝
１２３  軸孔
１３  摺動溝
１３１  レール
２０  係合部材
２１  軸棒
２２  フック部
２３  押さえ部
２４  バネ
３０  位置制限ブロック
３１  ボルト
３２  ナット
３３  行き止め面
３４  突出部
３５  頂面
３６  中空凹槽
３７  弾性ブロック
３８  軟質パッド
４０  リア荷台
４１  縦棒
４２  横棒
５０  袋
従来
６０  取り外し容易の道具
６１  荷台板
６２（６２ａ）  固定フック
６３  可動フック
７０  荷台
８０  負荷部材
【図１】
0003184522.tif 000003
【図２】
0003184522.tif 000004
【図３】
0003184522.tif 000005
【図４】
0003184522.tif 000006
【図５】
0003184522.tif 000007
【図６】
0003184522.tif 000008
【図７】
0003184522.tif 000009
【図８】
0003184522.tif 000010
【図９】
0003184522.tif 000011
【図１０】
0003184522.tif 000012
【図１１】
0003184522.tif 000013